(57)【要約】【課題】構造が簡便で製造費が安価で且つ堅牢な、競走競技に適した歩行ロボットを提供する。【解決手段】ロボット走行装置は、胴体と、１対の脚部と、前記脚部の下端部に装着された足裏部材と、前記１対の脚部を交互に走行させる駆動機構を有する。脚部は、ロボットの胴体の矢状面に対して垂直に配置された枢動軸回りに枢動可能に構成され、駆動機構は、遠隔操縦によって回転可能なモータと、該モータの軸に装着された回動板と、該回動板の両側に装着された１対の揺動軸と、を有する。【選択図】図１Ａ
2012152869.tif 000002
【特許請求の範囲】
【請求項１】
胴体と、１対の脚部と、前記脚部の下端部に装着された足裏部材と、前記１対の脚部を交互に走行させる駆動機構を有するロボット走行装置において、
前記脚部は、前記ロボットの胴体の矢状面に対して垂直に配置された枢動軸回りに枢動可能に構成され、
前記駆動機構は、遠隔操縦によって回転可能なモータと、該モータの軸に装着された回動板と、該回動板の両側に装着された１対の揺動軸と、を有し、該揺動軸は、前記脚部の上端に係合され、前記モータによって、前記回動板を、交互に反対方向に所定の回転角だけ回転させることによって、前記１対の揺動軸は交互に反対方向に揺動し、それによって、前記１対の脚部は、交互に反対方向に前記枢動軸回りに枢動することによって、前記足裏部材が前記前後方向に交互に移動するように構成されているロボット走行装置。
【請求項２】
請求項１記載のロボット走行装置において、
前記胴体は、前記モータを支持する支持部材と、該支持部材に装着された腰部材と、該腰部材に装着された垂直部材と、を有し、前記垂直部材に前記モータのためのバッテリが装着され、前記垂直部材の上端に、ジョイスティック型コントローラと通信する通信モデムが装着されていることを特徴とするロボット走行装置。
【請求項３】
請求項１記載のロボット走行装置において、前記モータの軸は、前記ロボットの胴体の矢状面上に配置されていることを特徴とするロボット走行装置。
【請求項４】
請求項２記載の走行装置において、
前記腰部材は、前記支持部材の両側の枢動軸に枢動可能に装着され、
前記腰部材には、前記ロボットの胴体の矢状面に垂直な方向に沿って延びた長穴が設けられ、
前記回動板には、前記モータの軸に対して偏奇した偏奇軸が設けられ、該偏奇軸は、前記腰部材の長穴に係合しており、前記偏奇軸と前記腰部材の長穴は、カムとカムフォロワとして機能し、前記モータによって前記回動板を、交互に反対方向に所定の回転角だけ回転させることによって、前記偏奇軸が湾曲した軌道に沿って移動し、それによって前記腰部材は、前記枢動軸回りに枢動し、該前記腰部材の枢動は、前記足裏部材の前後方向の移動に同期することを特徴とする走行装置。
【請求項５】
請求項２記載の走行装置において、
前記垂直部材の両側には、１対の腕が、枢動軸回りに枢動可能に装着されており、該腕と前記揺動軸は、ロッドによって連結されており、前記腕の枢動は、前記足裏部材の前後方向の移動に同期し、且つ逆位相であることを特徴とする走行装置。
【発明の詳細な説明】
【技術分野】
【０００１】
本発明は足を交互に動かせて走行するロボットに関し、特に、遠隔操縦によってロボットを走行させるロボット走行装置に関する。
【背景技術】
【０００２】
従来、２本足を交互に動かせて走行するロボットが知られている。更に、２本の腕を前後に振りながら走行するロボットも知られている。
【先行技術文献】
【特許文献】
【０００３】
【特許文献１】米国特許５２２４８９６号
【特許文献２】米国特許３２６７６号
【特許文献３】米国特許１９９２４７７号
【特許文献４】米国特許６６０２１０６号
【特許文献５】米国特許５６２８６６８号
【発明の概要】
【発明が解決しようとする課題】
【０００４】
従来のロボットでは、単にモータの回転を、足の振り運動や、胴体や手の振り運動にそのまま変換する機構が設けられているだけである。したがって、歩行のパターンが一定であり、操縦者の指令を変えることで、進行方向を変えることができなかった。
【０００５】
また、上述の特許文献に記載されているように、左右の脚の運動と胴体の傾きの運動の合計３自由度を計算機制御して歩行させるロボット教材も商品化されている。しかしながら、これらの例では、３自由度を計算機制御して歩行運動を生成するためのものであり、操縦者の指令によって、脚と胴体の運動を同期させることは容易ではない。そのため、これらのロボットは、操縦桿を遠隔から操作することによって歩行運動を生成する競走競技には適しない。
【０００６】
そこで、本発明の目的は、構造が簡便で製造費が安価で且つ堅牢な、競走競技に適した歩行ロボットを提供することにある。
【課題を解決するための手段】
【０００７】
本発明によると、ロボット走行装置は、胴体と、１対の脚部と、前記脚部の下端部に装着された足裏部材と、前記１対の脚部を交互に走行させる駆動機構を有する。
脚部は、ロボットの胴体の矢状面に対して垂直に配置された枢動軸回りに枢動可能に構成され、駆動機構は、遠隔操縦によって回転可能なモータと、該モータの軸に装着された回動板と、該回動板の両側に装着された１対の揺動軸と、を有し、該揺動軸は、前記脚部の上端に係合され、前記モータによって、前記回動板を、交互に反対方向に所定の回転角だけ回転させることによって、前記１対の揺動軸は交互に反対方向に揺動し、それによって、前記１対の脚部は、交互に反対方向に前記枢動軸回りに枢動することによって、前記足裏部材が前記前後方向に交互に移動するように構成されている。
本発明によると、操縦者が遠隔にある操縦桿によって、１つのモータ駆動系の軸が生成する「往復揺動運動」を、ロボットに指令することによって、そのロボットの歩行の速度制御と、推進方向を定める操舵制御をすることが可能である。
本発明によると、１つの自由度の「往復運動」によって、歩行の速度制御と、方向を定める操舵制御をすることができる。
操縦者は、操縦対象のロボットに、１つの自由度の「往復運動」を指令するだけで、速度制御と操舵制御が可能である。
【発明の効果】
【０００８】
本発明によると、構造が簡便で製造費が安価で且つ堅牢な、競走競技に適した歩行ロボットを提供することができる。
本発明によると、操縦桿の振り運動の与え方次第で、推進速度や推進方向が制御できるため、操縦者の熟練の度合いを、歩行運動に反映させることができる。そのため、複数のロボットによる競走なども行うことができるし、また、操縦を楽しめる。
【図面の簡単な説明】
【０００９】
【図１Ａ】本発明によるロボット装置の第１の例の背面構成を示す図である。
【図１Ｂ】本発明によるロボット装置の第１の例の右側の側面構成を示す図である。
【図２】本発明によるロボット装置の第１の例の主要部の構成を示す図である。
【図３Ａ】本発明によるロボット装置の第２の例の背面構成を示す図である。
【図３Ｂ】本発明によるロボット装置の第２の例の右側の側面構成を示す図である。
【図４】本発明によるロボット装置の第２の例の主要部の構成を示す図である。
【図５】本発明によるロボット装置の第２の例の駆動機構の構成を示す図である。
【図６Ａ】本発明によるロボット装置の第２の例の駆動機構の動作を説明する説明図である。
【図６Ｂ】本発明によるロボット装置の第２の例の駆動機構の動作を説明する説明図である。
【図６Ｃ】本発明によるロボット装置の第２の例の駆動機構の動作を説明する説明図である。
【図７Ａ】本発明によるロボット装置の第３の例の背面構成を示す図である。
【図７Ｂ】本発明によるロボット装置の第３の例の右側の側面構成を示す図である。
【図８Ａ】本発明によるロボット装置が中立状態の姿勢にある場合の右側の側面構成を示す図である。
【図８Ｂ】本発明によるロボット装置が中立状態の姿勢にある場合の正面構成を示す図である。
【図９Ａ】本発明によるロボット装置が右側の脚部によって荷重を支えている場合の右側の側面構成を示す図である。
【図９Ｂ】本発明によるロボット装置が右側の脚部によって荷重を支えている場合の正面構成を示す図である。
【図１０Ａ】本発明によるロボット装置が右側の脚部によって荷重を支えている場合の右側の側面構成を示す図である。
【図１０Ｂ】本発明によるロボット装置が右側の脚部によって荷重を支えている場合の正面構成を示す図である。
【図１１Ａ】本発明によるロボット装置が右側の脚部によって荷重を支えている場合の右側の側面構成を示す図である。
【図１１Ｂ】本発明によるロボット装置が右側の脚部によって荷重を支えている場合の正面構成を示す図である。
【発明を実施するための形態】
【００１０】
図１Ａ及び図１Ｂを参照して本発明のロボット歩行装置の第１の例を説明する。本例のロボット歩行装置は、モータ1と、モータ１を支持する支持部材2と、支持部材2の前後両側に設けられた軸4に取り付けられた腰部材3と、支持部材2の左右両側に設けられた軸6回りに枢動可能に取り付けられた左右１対の脚部5を有する。脚部5の上部には、長穴9が形成されている。脚部5の長穴9には、揺動軸8が貫通している。脚部5の下端には、足裏部材10、11が装着されている。
【００１１】
支持部材2はモータ1を囲むように矩形フレーム部材によって形成されてよい。腰部材3は、コの字形フレーム部材によって形成されてよい。腰部材3はロボットの矢状面（sagittal plane）に沿って配置されている。揺動軸8は、ロボットの矢状面に垂直に配置されている、即ち、ロボットの前額面（frontal plane）に沿って配置されている。
【００１２】
腰部材3には垂直部材14がネジ15で固定されている。垂直部材14にはバッテリ21が装着されている。垂直部材14の上側には通信用モデム22とスイッチ23が取り付けられている。通信モデム22は、ジョイスティック型コントローラからの命令を受信する。
【００１３】
通信モデム22とスイッチ23はロボットの頭部を構成する。通信モデム22の前面には、ロボットの顔が形成されてよい。腰部材3、垂直部材14及びバッテリ21はロボットの上体部を構成する。
【００１４】
本例のロボット走行装置によると、モータ1の回転軸は、ロボットの矢状面上に配置されている。本例のロボット走行装置は、ロボットの矢状面に対して左右対称的な構造を有し、左半分と右半分は同一の荷重を有する。従って、ロボットが中立状態の姿勢にあるとき、ロボットの重心は、矢状面上にある。
【００１５】
図２を参照して、脚部5の駆動機構を説明する。本例では、モータ1の回転軸25は上向きである。即ち、モータ1の上面より回転軸25が突出している。モータ1の回転軸25には、回動板7が取り付けられている。回動板7から、左右両側に揺動軸8が延びている。回動板7と回転軸25の構造の詳細は後に図４を参照して説明する。
【００１６】
ロボットを歩行させるとき、モータ1の回転軸25を、時計方向と半時計方向に交互に回転させる。モータ1の回転軸25の回転角度は、通常の歩行では、０より大きく４５度より小さい。例えば、１０度より大きく３０度より小さくてよい。例えば、約２４〜２５度であってよい。
【００１７】
モータ1の回転軸25に装着された回動板7も、同様に、時計方向と半時計方向に交互に回転する。それによって、回動板7の両側の揺動軸8は前後方向に振られる。揺動軸8の振りは、左右で逆位相である。例えば、左側の揺動軸8が前方に振られると、右側の揺動軸8は後方に振られる。揺動軸8が前後方向に振られると、左右の脚部5は逆位相で前後に振れる。例えば、左側の揺動軸8が前方に振られると、左の脚部5は後方に移動し、右側の揺動軸8が後方に振られると、右の脚部5は前方に移動する。脚部5の枢動角は、例えば、１０〜３０度、好ましくは、１５〜２０度である。
【００１８】
図３Ａ及び図３Ｂを参照して本発明のロボット歩行装置の第２の例を説明する。上述の第１の例では、左右の脚部5は前後に揺動するように構成されている。本例では、更に、上体が左右に振れるように構成されている。ここでは、第１の例と共通の構成については、説明を省略する。第１の例とは異なる部分について説明する。本例によると、腰部材3は、支持部材2の前後両側に設けられた軸4回りに枢動可能である。腰部材3が軸4回りに搖動すると、垂直部材14、バッテリ21、通信用モデム22及びスイッチ23は、腰部材3と共に軸4回りに搖動する、即ち、左右に揺れる。
【００１９】
回動板7の上面には偏奇軸12が突出するように設けられている。偏奇軸12は、モータ1の回転軸25に平行であるが、モータ1の回転軸25に対して偏奇している。
【００２０】
図４を参照して、脚部5の駆動機構を説明する。ここでは、第１の例と共通の構成については、説明を省略する。腰部材3の上側部材に長穴13が形成されている。長穴13は、ロボットの矢状面に沿った方向に長い形状を有する。回動板7の偏奇軸12は、腰部材3の長穴13を貫通している。
【００２１】
図５を参照して、回動板7の構造の例を説明する。モータ1の回転軸25には、回動板7が取り付けられている。ここでは、回転軸25の長さを誇張して描いている。回動板7から、左右両側に揺動軸8が延びている。図３Ａ及び図３Ｂに示した第２の例では、回動板7の上面には偏奇軸12が突出するように設けられている。偏奇軸12は、回動板7の上面に、ロボットの進行方向前側に配置されている。図１Ａ及び図１Ｂに示した第１の例では、偏奇軸12は設けられていない。
【００２２】
図６Ａ、図６Ｂ及び図６Ｃを参照して、上体の揺動機構を説明する。図６Ａに示すように、回動板7の上面に、モータ1の回転軸25に対して偏奇して偏奇軸12が設けられている。偏奇軸12は、回動板7の上面に、ロボットの進行方向の前側に配置され、腰部材3の長穴13に係合している。ここでは、腰部材3の長穴13の輪郭のみを描いている。偏奇軸12と腰部材3はカムとカムフォロワの関係にある。腰部材3の長穴13の開口は、ロボットの矢状面に沿って長く延びた形状を有する。
【００２３】
図６Ａは、ロボットが中立状態の姿勢にある場合を示す。回動板7の偏奇軸12とモータ1の回転軸25は、ロボットの矢状面に沿って１直線上に沿って配置されている。腰部材3の長穴13は、モータ1の回転軸25に整合している。回動板7の両側の揺動軸8は、ロボットの前額面に沿って配置されている。
【００２４】
図６Ｂは、モータ1の回転軸25を所定の回転角θＬだけ、時計方向に回転させた状態を示す。回動板7も時計方向に回転角θＬだけ回転する。それによって、回動板7の偏奇軸12は、湾曲した軌道に沿って移動する。即ち、偏奇軸12は、モータ1の回転軸25に対して図の右側に横方向に移動する。偏奇軸12と腰部材3はカムとカムフォロワの関係にあるから、腰部材3は右側に横方向に相対的に移動する。従って、腰部材3は、支持部材2に設けられた軸4の回りに枢動する。腰部材3が枢動すると、上体は右側に揺れる。
【００２５】
この状態では、回動板7の偏奇軸12とモータ1の回転軸25は、ロボットの矢状面に沿って１直線上に沿って配置されていない。
【００２６】
回動板7の両側の揺動軸8も、時計方向に回転角θＬだけ枢動する。左側の揺動軸8は前方に枢動し、右側の揺動軸8は後方に枢動する。このように、揺動軸8が前後に振れると、揺動軸8に接続された脚部5は枢動軸回りに枢動する。図１Ｂ及び図３Ｂに示したように、脚部5が枢動軸6回りに枢動すると、脚部5の下端に装着された足裏部材10、11が前後に移動する。足裏部材10、11は、枢動軸6に対して、揺動軸8と反対側にある。そのため、揺動軸8の前後方向の振れと、足裏部材10、11の前後方向の移動は同期的であるが位相は反対である。
【００２７】
従って、図６Ｂに示すように、左側の揺動軸8が前方に枢動すると、左側の脚部5は、後方に移動する。左側の足裏部材11によって床を蹴ると、上体は右に傾き、右足によってロボットの荷重の大部分を支えることになる。
【００２８】
図６Ｃは、モータ1の回転軸25を所定の回転角θＲだけ、反時計方向に回転させた状態を示す。回動板7も反時計方向に回転角θＲだけ回転する。それによって、回動板7の偏奇軸12は、モータ1の回転軸25に対して図の左側に横方向に移動する。偏奇軸12と腰部材3はカムとカムフォロワの関係にあるから、腰部材3は左側に横方向に相対的に移動する。従って、腰部材3は、支持部材2に設けられた軸4の回りに枢動する。腰部材3が枢動すると、上体は左側に揺れる。
【００２９】
この状態では、回動板7の偏奇軸12とモータ1の回転軸25は、ロボットの矢状面に沿って１直線上に沿って配置されていない。
【００３０】
回動板7の両側の揺動軸8の枢動と、両側の脚部5及び足裏部材10、11の移動は、図６Ｂの場合と逆になる。こうして、本例では、モータ1の回転軸25を所定の回転角だけ回転させると、回動板7及び揺動軸8が揺動し、両側の脚部が枢動軸回りに枢動し、足裏部材10、11が移動する。モータ1の回転軸25の回転と、両側の足裏部材10、11の移動は同期する。尚、このとき、腰部材3は、支持部材2に設けられた軸4の回りに枢動するから、上体も左右に揺れるが、それについては、後に説明する。上体の枢動角は、５〜１０度、好ましくは、５〜８度である。
【００３１】
図７Ａ及び図７Ｂを参照して本発明のロボット歩行装置の第３の例を説明する。上述の第２の例では、左右の脚部5が前後に枢動し、足裏部材10、11が前後に移動すると、上体が左右に振れるように構成されている。本例によると、更に、腕も前後に振るように構成されている。ここでは、第２の例と共通の構成については、説明を省略する。第２の例とは異なる部分について説明する。
【００３２】
垂直部材14の両側には、１対の腕17が、軸18回りに枢動可能に装着されている。腕17と揺動軸8は、ロッド20によって連結されている。即ち、ロッドの一端19は、揺動軸8の先端に連結され、ロッドの他端24は、腕17の先端部付近に連結されている。こうして、ロッド20によって腕17と揺動軸8が連結されているため、腕17は揺動軸8の前後方向の振りと同位相で振られる。そのため、腕17は、脚部5の振りとは逆位相で前後に振られる。そのため、人間の歩行時と同様の腕の振り運動を実現する。本例では、腕17は、脚部5の振りとは逆位相で前後に振られるから、ロボットは安定的に走行する。
【００３３】
図８Ａ及び図８Ｂ、図９Ａ及び図９Ｂ、図１０Ａ及び図１０Ｂ、図１１Ａ及び図１１Ｂを参照して、本発明のロボット歩行装置の第２の例の歩行を説明する。図８Ａ、図９Ａ、図１０Ａ及び図１１Ａは、右側の側面構成を示し、図８Ｂ、図９Ｂ、図１０Ｂ及び図１１Ｂは、正面構成を示す。図８Ａ及び図８Ｂは、本発明のロボット歩行装置の第２の例が中立状態の姿勢である場合を示す。
【００３４】
図９Ａ及び図９Ｂは、右側の脚部（ロボットの進行方向に対して右側の脚部）を前方に移動させながら、左側の脚部が後方に移動する時の姿勢を示す。このとき、図６Ｂに示したように、回動板7の偏奇軸12によって、腰部材3の長穴13を駆動するため、腰部材3を含む上体は、枢動軸4回りに枢動し、右側に傾斜する。それと同時に、左側の足裏部材11の指先の内側が床に接して、上体を右側に傾斜させる。こうして上体は右側に傾斜する。この過程で、右側の脚部は胴体に対して前方に振られるが、右側の足裏部材10は接地しているため、地面に対しては動かない。その結果、胴体が前傾する。また、左側の脚部は胴体の後ろ側に振られる。
【００３５】
図１０Ａ及び図１０Ｂは、このような動作によって、左側の脚部が地面より浮き上がった状態を示す。この状態になると、胴体はモータによって能動的に左に傾いていくと同時に、右側の足裏部材10の外側で支えている状態なので、それによって、胴体は左に傾斜する。
【００３６】
図１１Ａ及び図１１Ｂは、上体が、右側に最大に傾斜した状態を示す。この状態では、ロボットの荷重を、右側の足裏部材10の右側の側面のみで支持している。このとき、右側の足裏部材10が（上から見て）外側にVの字に広がっており、また上体が前方に振られる動的効果で、ロボット全体は、右側の足裏部材10の前方外側の接地点を中心に回転し若干前方に移動する。
【００３７】
その後、ロボットは図８Ａ及び図８Ｂに示す中立状態の姿勢に戻り、今度は左方向に同様な動作を行う。それによってロボット全体は前進する。このような動作を繰り返すことで、ロボットは前進運動を行う。
【００３８】
ここでは、本発明のロボット走行装置の第２の例の動作を説明したが、第１の例及び第３の例の動作も同様である。
【００３９】
本発明によると、遠隔操作する操縦桿の左右の動きに同期してモータ1の回転軸25が左右への往復回転を繰り返し、それに同期して、左右の脚部の運動が生成される。即ち、左右の脚部の運動は、操縦桿の左右の動きに同期している。従って、操縦桿の動きを好適に制御することにより、脚部の走行を自由に変更することができる。そのため、ロボットの進行方向及び走行速度を自由に制御することができる。
【００４０】
例えば、操縦桿を左に振らすスピードと右に振らすスピードが異なると、それに応じて、左右の脚部の運動速度が互いに異なるように変化する。こうして、片側の脚部に重心が載って、その後その重心が逆側の脚部に乗る運動の左右への動き方が変わり、足裏が地面を押し付ける動的な効果が左右の脚部で異なることになる。こうして、左右の脚部による立脚状態での推進距離が異なることとなり、進行方向を自在に操縦することができる。操縦桿の振り速度を変化させることにより、歩行速度も変化させることができる。
【００４１】
本発明によると、ロボットが推進できる原理は、脚部の振りと胴体の移動が足裏を地面に押し付けて跳ね返る動的な運動の効果を利用したものである。歩行運動を有効に生成するには、足裏部材10、11の形状と材質を適切に設定することが不可欠である。足裏部材10、11の形状としては、上体部の左右と前後の揺動でも転倒しない程度の広さを持ち、細長くて足先がVの字型に広がっているものがよい。このような形状だと、上体の重心を支持する面積が広く、また脚部の後ろへの振り上げ時に、適度に床を蹴りながら、長めの足裏が床面に接触し難い。また足裏の材質としては適度の弾性と摩擦係数の高さがあるのが望ましい。実際にはウレタンフォームなどを使用するのが適する。
【００４２】
上述の例では、モータの回転軸は上を向いているが、これに限定されず、矢状面にその軸が含まれれば、垂直でも水平でもよい。それぞれ適当なリンク系を導入することによって、脚部の振り運動、あるいはそれに付随して胴体の左右の振り運動、さらに腕の振り運動を生成する構成でもよい。
【００４３】
以上本発明の例を説明したが本発明は上述の例に限定されるものではなく、特許請求の範囲に記載された発明の範囲にて様々な変更が可能であることは、当業者によって容易に理解されよう。
【符号の説明】
【００４４】
1…モータ、2…支持部材、3…腰部材、4…軸、5…脚部、6…軸、7…回動板、8…揺動軸、9…長穴、10、11…足裏部材、12…偏奇軸、13…長穴、14…垂直部材、15…ネジ、17…腕、18…軸、19…ロッドの端、20…ロッド、21…バッテリ、22…通信用モデム、23…スイッチ、24…ロッドの端、25…回転軸
【図１Ａ】
2012152869.tif 000003
【図１Ｂ】
2012152869.tif 000004
【図２】
2012152869.tif 000005
【図３Ａ】
2012152869.tif 000006
【図３Ｂ】
2012152869.tif 000007
【図４】
2012152869.tif 000008
【図５】
2012152869.tif 000009
【図６Ａ】
2012152869.tif 000010
【図６Ｂ】
2012152869.tif 000011
【図６Ｃ】
2012152869.tif 000012
【図７Ａ】
2012152869.tif 000013
【図７Ｂ】
2012152869.tif 000014
【図８Ａ】
2012152869.tif 000015
【図８Ｂ】
2012152869.tif 000016
【図９Ａ】
2012152869.tif 000017
【図９Ｂ】
2012152869.tif 000018
【図１０Ａ】
2012152869.tif 000019
【図１０Ｂ】
2012152869.tif 000020
【図１１Ａ】
2012152869.tif 000021
【図１１Ｂ】
2012152869.tif 000022